(57)【特許請求の範囲】
【請求項１】
ステージ上に載置された資料をビデオカメラで撮影してモニタなどに映し出して前記資料を提示する資料提示装置であつて、前記ビデオカメラのケース本体に撮影に供するスライドフィルムを挿脱可能な取付部を設けてなる資料提示装置。
【発明の詳細な説明】
【０００１】
【発明の属する技術分野】
本発明は会議等で説明用の資料等を被写体としてビデオカメラで撮影してモニタに映し出して資料を提示する資料提示装置に関する。
【０００２】
【従来の技術】
近年、会議用及び講演用として用いられる視聴覚機器として、平板状のステージ上に資料を載置し、照明装置で投光しながら上方よりビデオカメラで撮影してモニタ及びスクリーン等に投影する資料提示装置が使用されてきている。
【０００３】
図６は従来の資料提示装置の概略を示すものであり、１は投射される資料２を載置するステージであり、このステージ１の上端の突出部６には取付けアーム３を介してＣＣＤ撮像装置を備えたビデオカメラ４を有する。５ａ，５ｂ  はステージ１上の資料２を照明する一対の照明装置であり、一般には蛍光燈やハロゲンランプが使用されている。
【０００４】
また、ステージ１の前面の傾斜部には主電源スイッチ７ａ  を初めとして、撮影時に頻繁に使用するフォーカス調整釦７ｂ  、ズーム調整釦７ｃ、コントラスト調整釦７ｄなどの操作部７が設けられている。
【０００５】
そして、ステージ１上の資料２は照明装置５ａ，５ｂ  によって投射され、ビデオカメラ４にて撮影されることにより、有線及び無線等によつてモニタ及びスクリーン等に写し出されるようになっている。
【０００６】
【発明が解決しようとする課題】
ところで、上記構成の資料提示装置はステージ１上に載置された資料ばかりでなくスライドフィルムを撮影することも要求される。この場合は、ステージ１上に載置されたスライドフィルムをビデオカメラ４によってモニタに写し出し、映像を見ながら位置出しセツトする必要があり、甚だ面倒な操作であつた。また、別途用意したスライド用のアダプタをカメラ本体にねじ止めなどによって取付けたり、これまた工数のかかるものであつた。
【０００７】
【課題を解決するための手段】
本発明はかかる従来の問題点に鑑みなされたもので、ステージ上に載置された資料をビデオカメラで撮影してモニタなどに映し出して前記資料を提示する資料提示装置であつて、前記ビデオカメラのケース本体に撮影に供するスライドフィルムを挿脱可能な取付部を設けてなる資料提示装置を提供するものである。
【０００８】
【発明の実施の形態】
図１は本発明による資料提示装置の一実施例を示す斜視図であり、上記した従来の装置と同様に資料を載置する平面状のステージ１０の上面と延長された前端部の傾斜部１０ａ  には、フォーカス調整釦１１ａ、ズーム調整釦１１ｂ、コントラスト調整釦１１ｃなどの主操作部を備えた操作部１１が設けられている。また、傾斜部１０ａ  と対向する反対側の突出部１０ｂ  にはＣＣＤを有するビデオカメラ１２を備えた取付けアーム１３の一端が、支持部１０ｂ１の中央に回動自在に取付けられている。そして、突出部１０ｂ  には上記操作部１１と同様の機能を備えたフォーカス調整釦１１ｂ１、ズーム調整釦１１ｃ１、コントラスト調整釦１１ｄ１などの主要操作部（  操作釦）  が配置されている。
【０００９】
１４ａ  、１４ｂ  はステージ１０上の資料を照明する一対の照明であり、一般には蛍光燈やハロゲンランプが使用されている。
【００１０】
また、ステージ１０の両側には、この側面に対して矢印で示すように収納・突出自在な一対のホルダ（  資料支持部）  １５ａ，１５ｂ  を有しており、これらのホルダは合成樹脂にて、または金属を屈曲して形成したものであり、上端の支持部１５ａ１，  １５ｂ１はステージ１０の上面と略同一平面となるように設定されている。
【００１１】
前記ビデオカメラ１２は図示せぬ装置本体部がカメラケース１２ａ内に収納されて、図３に示すように取付けアーム１３に対して任意の位置或いは所定の角度位置に位置決めされるよう、回動機構１６によって摩擦的並びにクリック的に回動自在に保持されている。
【００１２】
また、上記カメラケース１２ａは図２に示すように、スライドフィルムホルダ１７をカメラの光軸Ｌに対して垂直に保持するための左右一対の保持部１２ａ１  ，１２ａ１  が開口部１２ａ２  より内部に向かって延在している。従って、スライドフィルムホルダ１７は特別な道具を用いることなく簡単に装着し得、使い勝手が良好となる。なお、スライドフィルムホルダ１７を挿入することにより、これを検出してフイルムモードとすることも可能である。
【００１３】
上記回動機構１６は図４に具体的に示すように、ケース本体１２ａ内のシャーシ１８にねじ２５によつて固定された円錐状の樹脂製の回動支軸１９に対して取付けアーム１３の延長部１３ａが相互に勘合している。そして、回動支軸１９の先端を覆う椀型のカバー２０は、この回動支軸１９と相互に螺合してねじ２１により固着される。カバー２０の外周部はコイルばね２２により延長部１３ａ側に押圧力を作用しているものである。従って、回動支軸１９と延長部１３ａはコイルばね２２の押圧力によりその嵌合面には摩擦力が発生する。
【００１４】
一方、上記回動支軸１９に保持されているコイルばね２３により突出力が作用されているボール２４は、延長部１３ａに形成された複数の凹部１３ａ１に適宜嵌入されることにより、ビデオカメラ１２が所定の回動位置にクリツク的に保持される。この所定の回動位置とは図１に示すような、撮影位置（ビデオカメラがステージ面に対して垂直となる位置）及び、取付けアーム１３を矢印Ａ方向に回動して収納する収納位置（ビデオカメラと取付けアームが平行となる位置）等割り付けられている。このためビデオカメラ１２の各ポジションは操作者には確実に確認することができるので、カメラを中途半端な状態で撮影及び収納するようなことはなく使い勝手が良好となる。
【００１５】
また、これ以外の角度位置は上記した摩擦接合により任意の位置にビデオカメラ１２を保持することができるので、例えば壁に掛けた資料及び机上に置いた傾斜物体などはビデオカメラを任意の角度位置で保持させることができる。
【００１６】
また、上記取付けアーム１３は図５に示すように、ステージ１０の上面に対して緩衝的に回動して収納状態となるよう、ステージ内のシャーシ１０ｃとの間にコイルばね２６が張架され、収納時における取付けアーム１３及びビデオカメラ１２のステージ面への衝突を防止しているものである。
【００１７】
ここで、使用する資料がステージ１０の上面より小なる資料の場合には、ホルダ１５ａ，１５ｂ  は収納状態で使用することができる。また、例えば、百科事典等の載置されるべき資料が、ステージ１０の上面（上面積）より大なる場合には、ステージ１０の側面よりホルダ１５ａ，１５ｂ  を突出させることによって、オーバーハング部分を支持することができるため、資料はステージ１０の上面より滑り落ちることがなく、安定した状態で撮影することができる。そして、上記大なる資料によって主操作部（  操作釦）  １１ｂ  １  〜１１ｄ  １  が隠れてしまうこともあるが、この場合には、他のフォーカス調整釦１１ｂ１、ズーム調整釦１１ｃ１、コントラスト調整釦１１ｄ１を副操作釦として使用することができ、使い勝手が良いものとなる。
【００１８】
【発明の効果】
以上述べてきたように、本発明の資料提示装置によればフイルムホルダを特別な治具などを用いることなく簡単に装着できるため使い勝手が良いなどの特長がある。
【図面の簡単な説明】
【図１】本発明の資料提示装置の一実施例を示す外観図である。
【図２】本発明の資料提示装置におけるフイルムホルダの装着状態を示す斜視図である。
【図３】ビデオカメラの回動状態を示す斜視図である。
【図４】回動機構の側断面図である。
【図５】取付けアームの緩衝機能を示す一部斜視図である。
【図６】従来の資料提示装置の外観図である。
【符号の説明】
１０…ステージ、１１…操作部、１２…ビデオカメラ、１２ａ…カメラケース、１２ａ１  …保持部、１３ａ…延長部、１４ａ，１４ｂ  …照明、１５ａ，１５ｂ  …資料支持部、１６…回動機構、１７…スライドフイルムホルダ、１９…回動支軸、２０…カバー、２２…コイルばね、２４…ボール。
【図１】
0003568073.tif 000002
【図２】
0003568073.tif 000003
【図３】
0003568073.tif 000004
【図４】
0003568073.tif 000005
【図５】
0003568073.tif 000006
【図６】
0003568073.tif 000007